(57)【特許請求の範囲】
【請求項１】
フロア上に載置されるベースフレームと、該ベースフレームから鉛直上方に延在する前壁及び後壁と、該前壁及び該後壁の上端に配設されかつフィニッシャが載置される載置面を有する上壁とを備え、該上壁には上壁開口が形成され、該前壁には前壁開口が形成され、該後壁には後壁開口が形成され、
該前壁には前カバー手段が配設され、該後壁には後カバー手段が配設され、該前壁開口の前側は該前カバー手段により隙間をおいて覆われ、該後壁開口の後側は該後カバー手段により隙間をおいて覆われる、
ことを特徴とするフィニッシャの載置用テーブル。
【請求項２】
該前壁開口及び該後壁開口の各々は該前壁及び該後壁の上端部に形成され、該前カバー手段は該上壁の前端から下方に延びる前フランジからなり、該後カバー手段は該上壁の後端から下方に延びる後フランジからなる、請求項１記載のフィニッシャの載置用テーブル。
【請求項３】
画像形成装置の一側部に付設される付属装置であって、フィニッシャの載置用テーブルと、該テーブル上に載置された該フィニッシャとからなり、該テーブルは、フロア上に載置されるベースフレームと、該ベースフレームから鉛直上方に延在する前壁及び後壁と、該前壁及び該後壁の上端に配設されかつ該フィニッシャが載置される載置面を有する上壁とを備え、該上壁には上壁開口が形成され、該前壁には前壁開口が形成され、該後壁には後壁開口が形成され、該フィニッシャには電源コード及び信号用コードの各々が該フィニッシャの底部から下方に延び出すよう配設され、該電源コード及び該信号用コードの各々は、該テーブルの該上壁開口を通りかつ該後壁開口又は該前壁開口を通って該後壁の外側又は該前壁の外側に延び出るよう配設される、
ことを特徴とする付属装置。
【請求項４】
該前壁には前カバー手段が配設され、該後壁には後カバー手段が配設され、該前壁開口の前側は該前カバー手段により隙間をおいて覆われ、該後壁開口の後側は該後カバー手段により隙間をおいて覆われ、該電源コード及び該信号用コードの各々は、該前壁開口と該前カバー手段との間の該隙間又は該後壁開口と該後カバー手段との間の該隙間を通るよう配設される、請求項３記載の付属装置。
【請求項５】
該前壁開口及び該後壁開口の各々は該前壁及び該後壁の上端部に形成され、該前カバー手段は該上壁の前端から下方に延びる前フランジからなり、該後カバー手段は該上壁の後端から下方に延びる後フランジからなる、請求項４記載の付属装置。
【発明の詳細な説明】
【０００１】
【発明の属する技術分野】
本発明は、フィニッシャ、例えば、ステイプル処理、パンチ処理、ソート処理等の転写紙後処理を行なうためのフィニッシャが載置されるテーブル及び該テーブルを使用した付属装置、更に詳しくは、画像形成装置の一側部に付設される付属装置であって、フィニッシャの載置用テーブルと、テーブル上に載置されたフィニッシャとからなる付属装置に関する。
【０００２】
【従来の技術】
従来から画像形成装置、例えば静電複写機（以下単に「複写機」と略称する）において、画像が転写された転写紙を単に排紙トレー上に排出するだけではなく、転写紙後処理を行なう必要がある場合には、フィニッシャが複写機とは独立して製造され、付属装置として複写機に離脱自在に付設される。なお、この明細書において、フィニッシャとは、例えば、ステイプル処理、パンチ処理、ソート処理等の転写紙後処理のうち少なくとも一つの転写紙後処理を行なう機能を備えた転写紙後処理装置であって、複写機あるいはプリンタ等の画像形成装置に付属装置として離脱自在に付設される転写紙後処理装置を意味するものとする。
【０００３】
上記の如きフィニッシャは、比較的小型であってそれ自体の高さが比較的低い場合には、テーブル上に載置された状態で複写機に付設される。この場合、テーブルとテーブル上に載置されたフィニッシャとが付属装置を構成する。テーブル上に載置されるフィニッシャには、電源コードの他に、付属装置を制御するための制御手段を備えている複写機との間で制御信号を伝達するための信号用コードが配設されている。そして付属装置は、使用者から見て複写機の一側部である左側部又は右側部に付設され、いずれの側部に付設される付属装置であっても、電源コード及び信号用コードは、使用者側、すなわち前側に露呈されないように、付属装置の後壁から直接その後側に延び出るよう配設されていた。
【０００４】
【発明が解決しようとする課題】
上記の如く、従来の付属装置は、複写機に対する付設方向がそれぞれ決められているため、例えば、複写機の左側部専用の付属装置を右側部に、又は複写機の右側部専用の付属装置を左側部に、それぞれ付設された場合には、電源コード及び信号用コードは前側に露呈してしまうことになる。電源コード及び信号用コードが前側に露呈することは、外観上好ましくなく、また、電源コード及び信号用コードが必要以上に長くなり、コストが増大する。また、信号用コードが長くなると電磁波等のいわゆるノイズの影響が増大し、制御に悪影響を及ぼすおそれがある。
【０００５】
本発明は上記事実に基づいてなされたものであり、その目的は、画像形成装置の左側部及び右側部のいずれの側部に付設されても、電源コード及び信号用コードが前側に露呈することのない、新規なフィニッシャの載置用テーブル及びそれを使用した付属装置を提供することである。
【０００６】
本発明の他の目的は、画像形成装置の左側部及び右側部のいずれの側部に付設しされても、電源コード及び信号用コードの長さを最短に規定することができ、したがって製造コストを低減することができる、新規なフィニッシャの載置用テーブル及びそれを使用した付属装置を提供することである。
【０００７】
本発明の更に他の目的は、信号に対するノイズの影響を最小限とすることができる、新規なフィニッシャの載置用テーブル及びそれを使用した付属装置を提供することである。
【０００８】
本発明の更に他の目的は、電源コード及び信号用コードの存在にもかかわらず、フィニッシャの底部が実質上隙間なく載置されることを可能とする、新規なフィニッシャの載置用テーブル及びそれを使用した付属装置を提供することである。
【０００９】
本発明のその他の目的及び特徴は、本発明に従って構成されたフィニッシャの載置用テーブル及びそれを使用した付属装置の実施形態について添付図面を参照して詳細に説明する後の記載から明らかになるであろう。
【００１０】
【課題を解決するための手段】
本発明の一局面によれば、フロア上に載置されるベースフレームと、該ベースフレームから鉛直上方に延在する前壁及び後壁と、該前壁及び該後壁の上端に配設されかつフィニッシャが載置される載置面を有する上壁とを備え、該上壁には上壁開口が形成され、該前壁には前壁開口が形成され、該後壁には後壁開口が形成され、
該前壁には前カバー手段が配設され、該後壁には後カバー手段が配設され、該前壁開口の前側は該前カバー手段により隙間をおいて覆われ、該後壁開口の後側は該後カバー手段により隙間をおいて覆われる、
ことを特徴とするフィニッシャの載置用テーブル、が提供される。
【００１１】
該前壁開口及び該後壁開口の各々は該前壁及び該後壁の上端部に形成され、該前カバー手段は該上壁の前端から下方に延びる前フランジからなり、該後カバー手段は該上壁の後端から下方に延びる後フランジからなる、ことが好ましい。
【００１２】
本発明の他の局面によれば、画像形成装置の一側部に付設される付属装置であって、フィニッシャの載置用テーブルと、該テーブル上に載置された該フィニッシャとからなり、該テーブルは、フロア上に載置されるベースフレームと、該ベースフレームから鉛直上方に延在する前壁及び後壁と、該前壁及び該後壁の上端に配設されかつ該フィニッシャが載置される載置面を有する上壁とを備え、該上壁には上壁開口が形成され、該前壁には前壁開口が形成され、該後壁には後壁開口が形成され、該フィニッシャには電源コード及び信号用コードの各々が該フィニッシャの底部から下方に延び出すよう配設され、該電源コード及び該信号用コードの各々は、該テーブルの該上壁開口を通りかつ該後壁開口又は該前壁開口を通って該後壁の外側又は該前壁の外側に延び出るよう配設される、
ことを特徴とする付属装置、が提供される。
【００１３】
前記発明において、該前壁には前カバー手段が配設され、該後壁には後カバー手段が配設され、該前壁開口の前側は該前カバー手段により隙間をおいて覆われ、該後壁開口の後側は該後カバー手段により隙間をおいて覆われ、該電源コード及び該信号用コードの各々は、該前壁開口と該前カバー手段との間の該隙間又は該後壁開口と該後カバー手段との間の該隙間を通るよう配設される、ことが好ましい。
該前壁開口及び該後壁開口の各々は該前壁及び該後壁の上端部に形成され、該前カバー手段は該上壁の前端から下方に延びる前フランジからなり、該後カバー手段は該上壁の後端から下方に延びる後フランジからなる、ことが好ましい。
【００１４】
【発明の実施の形態】
以下、本発明の好適実施形態を添付図面である図１〜図６を参照して更に詳細に説明する。なお図１〜図６において、実質上同一部分は同一符号で示してある。図１を参照して、番号２は画像形成装置である複写機であって、直方体状の複写機本体４と、複写機本体４の上面に装着された自動原稿搬送装置６とを備えている。複写機本体４内における一側部（図１の左側部）の上部位置には図示しない転写紙排出口が配設され、転写紙排出口の上流位置には図示しない排出ローラ対が配設されている。複写機２それ自体は周知の構成でよく、またそれ自体の構成は本発明の特徴をなすものではないので更なる説明は省略する。番号８は、複写機２の付属装置であって、複写機本体４の一側部に図示しない連結機構によって離脱自在に連結されている。付属装置８は、フロア上に載置されるフィニッシャ載置用テーブル１０と、テーブル１０の上面に載置されて支持される直方体状のフィニッシャ１２とからなる。
【００１５】
フィニッシャ１２において、その一側部（図１の右側部）の上部位置には図示しない転写紙搬入口が配設され、転写紙搬入口の下流には、図示しない転写紙の搬送経路及び図示しない転写紙後処理部が設けられている。フィニッシャ１２の他側部（図１の左側部）には排紙トレイ１４が配設されている。フィニッシャ１２それ自体は周知の構成でよく、またそれ自体の構成は、後述する電源コード８０及び信号用コード８２がその底部１２ａから下方に延び出るよう配設された新規な構成を除き、本発明の特徴をなすものではないので更なる説明は省略する。複写機２において原稿画像が転写された転写紙は、排出ローラ対によって転写紙排出口から排出される。転写紙排出口から排出された転写紙は、フィニッシャ１２の転写紙搬入口内に搬入せしめられる。フィニッシャ１２内に搬入せしめられた転写紙は、転写紙後処理部、例えばパンチ処理部においてパンチ処理が遂行された後に排紙トレイ１４上に排出されるか、あるいは、フィニッシャ１２内に搬入せしめられた後、別の転写紙後処理部、例えばステイプル処理部において所定の枚数毎にステイプル処理が遂行された後に排紙トレイ１４上に排出される。転写紙後処理装置が遂行されない場合には、排紙トレイ１４上に直接排出される。
【００１６】
上記フィニッシャ１２はテーブル１０上に載置される。以下、本発明に従って構成されたテーブル１０及びテーブル１０を使用した付属装置８について説明する。テーブル１０は、フロア上に載置される下ユニット３０と、フィニッシャ１２が載置される載置面５０ａを備えかつ下ユニット３０に対し昇降（上下動）自在に配設される上ユニット３２と、上ユニット３２を下ユニット３０に対し高さ調整自在に固着することができる固着手段（後に詳述する）とを備えている。上ユニット３２は固着手段によって下ユニット３０に対し所要の高さに固着される。
【００１７】
図２及び図３を参照して、下ユニット３０は、ベースフレーム３４と、一対の下縦フレーム３６及び３８とを備えている。平坦な上面を有するベースフレーム３４は平面から見て矩形状をなし、その下面側には４個の移動用の車輪３９が配設されている。ベースフレーム３４は、矩形状の平板部３４ａと、平板部３４ａの周縁から垂下するフランジ３４ｂとを備えている。下縦フレーム３６及び３８は、ベースフレーム３４の平板部３４ａ上に前後方向に間隔をおいて対向するよう直立して配設されている（鉛直方向に延在する）。なお本明細書において、前後方向とは図１の表裏方向を示し、また横方向とは図１の左右方向を示し、また幅とは、横方向の長さを示すものとする。下縦フレーム３６及び３８は実質上同じ構成を有するので、以下それらを代表して下縦フレーム３６について説明する。
【００１８】
下縦フレーム３６は、矩形状の平板から形成された本体フレーム４０と、本体フレーム４０の横方向の中央部に固定された支持フレーム４２とからなる。本体フレーム４０の横方向両端には、それぞれの上端から下端よりも手前の位置まで延在するフランジ４０ａ及び４０ｂがそれぞれ前側に直角に折り曲げ形成されている。本体フレーム４０の上端から下端よりも手前の位置まで延在する支持フレーム４２は、一定の幅をもって鉛直に延びる下中央壁４４と、下中央壁４４の横方向における両側に配設され相互に平行にかつ鉛直に延びる下横壁４６及び４８とを備えている。下横壁４６及び４８は下中央壁４４の横方向両端から後側に直角に折り曲げられているので、支持フレーム４２はチャンネル形状をなしている。下横壁４６はフランジ４０ａに対向して平行に延び、また下横壁４８はフランジ４０ｂに対向して平行に延びている。下横壁４６及び４８の先端には、フランジ４６ａ及び４８ａがそれぞれ横方向外側に直角に折り曲げ形成されている。
【００１９】
下中央壁４４の上端及び下端は、それぞれチャンネル形状の両端開口を閉じるように、後側に直角に折り曲げられている。下横壁４６及び４８の下端にはフランジ４６ｂ及び４８ｂがそれぞれ横方向外側に直角に折り曲げ形成されかつ同一平面上に位置付けられている。本体フレーム４０の平板部の下端部は、フランジ４０ａ及び４０ｂの下端、及びフランジ４６ｂ及び４８ｂよりも、所定の長さだけ下方に延び出ている。支持フレーム４２は、フランジ４６ａ及び４８ａを本体フレーム４０にスポット溶接することにより、本体フレーム４０に固定される。下縦フレーム３６は、そのフランジ４６ｂ及び４８ｂが、ベースフレーム３４における平板部３４ａ上の後端部の上面にビス４９により離脱自在に固着され、かつ、本体フレーム４０の平板部の下端部がベースフレーム３４の後端縁を規定するフランジ３４ｂにスポット溶接されることにより又は図示しないビスにより離脱自在に固着されることにより、ベースフレーム３４の後端部に固着される。下縦フレーム３６と実質上同一の構成を有する下縦フレーム３８も上記と同じ如くしてベースフレーム３４の前端部に固着される。
【００２０】
引続き図２及び図３を参照して、上ユニット３２は、テーブル部材５０と、一対の上縦フレーム５２及び５４を備えている。矩形状の平板部材から形成されたテーブル部材５０の平板部５３（図５参照）を囲む平坦な矩形状の平板部を囲む４つの周縁は、それぞれ下方に直角に折り曲げられた前フランジ５１ａ、後フランジ５１ｂ、左フランジ５１ｃ及び右フランジ５１ｄから形成されている。平板部５３の平坦な上面はフィニッシャ１２の載置面５０ａを規定する。図４に示すように、フィニッシャ１２の載置面５０ａを含む平板部５３はテーブル１０の上壁１００を規定する。載置面５０ａの中央部には矩形状をなす上壁開口（貫通孔）５０ｂが形成されている。テーブル部材５０の左フランジ５１ｃには取手５１ｅが配設されている。上縦フレーム５２及び５４は、テーブル部材５０の下面の後端部及び前端部から前後方向に間隔をおいて相互に対向して鉛直下方に延びるよう、テーブル部材５０に配設されている。上縦フレーム５２及び５４は実質上同じ構成を有するので、以下それらを代表して上縦フレーム５２について説明する。
【００２１】
上縦フレーム５２は１枚の矩形状の平板から一体に折り曲げ形成されてなり、横方向両端には、それぞれの上端から下端まで延在するフランジ５２ａ及び５２ｂがそれぞれ前側に直角に折り曲げ形成されている。上縦フレーム５２の横方向中央部には、上縦フレーム５２の上端から下端まで延在する被支持フレーム５６が一体に形成されている。被支持フレーム５６は、一定の幅をもって鉛直に延びる上中央壁５８と、上中央壁５８の横方向における両側に配設され相互に平行にかつ鉛直に延びる上横壁６０及び６２とを備えている。上横壁６０及び６２は上中央壁５８の横方向両端から後側に直角に折り曲げられているので、被支持フレーム５６はチャンネル形状をなしている。上中央壁５８の上端部には、上中央壁５８の上端から所定の幅をもって所定の長さだけ下方に延在する切欠き５８ａが形成されている。
【００２２】
上横壁６０はフランジ５２ａに対向して平行に延び、また上横壁６２はフランジ５２ｂに対向して平行に延びている。上縦フレーム５２の後側の面は同一平面上に位置付けられている。上縦フレーム５２の上端であって、上横壁６０とフランジ５２ａとの間及び上横壁６２とフランジ５２ｂとの間には、フランジ５２ｃ及び５２ｄがそれぞれ前側に直角に折り曲げ形成されている。上縦フレーム５２の上端面を規定するフランジ５２ｃ及び５２ｄの上面は実質上同一平面上に位置付けられている。上縦フレーム５２は、そのフランジ５２ｃ及び５２ｄが、平板部５３の後端部の下面にビス６３により離脱自在に固着されることにより、テーブル部材５０の後端部に固着される。図示はされていないが、これらのビス６３がフィニッシャ１２の載置面５０ａから突出しないように、テーブル部材５０におけるビス取付部には凹部を形成しておくことが好ましい。上縦フレーム５２と実質上同一の構成を有する上縦フレーム５４も上記と同じ如くしてテーブル部材５０の前端部の下面に固着される。
【００２３】
図５をも参照して、上縦フレーム５２及び５４が、それぞれテーブル部材５０の後端部及び前端部の下面に固着されて上ユニット３２が組み立てられた状態において、上縦フレーム５２における被支持フレーム５６の上中央壁５８の上端部に形成された切欠き５８ａとテーブル部材５０の後端部の下面（載置面５０ａの下面）との間には後壁開口７０が形成される。また上縦フレーム５４における被支持フレーム５６の上中央壁５８の上端部に形成された切欠き５８ａとテーブル部材５０の前端部の下面（載置面５０ａの下面）との間には前壁開口７２が形成される。後壁開口７０の後側は、テーブル部材５０の後フランジ５１ｂにより隙間７４をおいて覆われ、前壁開口７２の前側は、テーブル部材５０の前フランジ５１ａにより隙間７６をおいて覆われる。この構成により、後壁開口７０及び前壁開口７２がそれぞれ上縦フレーム５２の後側及び上縦フレーム５４の前側に露呈することがないので、後壁開口７０及び前壁開口７２の存在によって上ユニット３２の外観が損なわれることが防止される。したがって上記実施形態において、後フランジ５１ｂは後壁開口７０の後カバー手段を構成し、前フランジ５１ａは、前壁開口７２の前カバー手段を構成する。
【００２４】
上記の如く構成された被支持フレーム５６の各々が対応する支持フレーム４２に対し前後方向の内側において上下動自在に嵌合されることにより、上ユニット３２は下ユニット３０に対し高さ調整自在にせしめられるよう、上ユニット３２及び下ユニット３０の相互の寸法及びレイアウトの関係が規定される。そして、被支持フレーム５６の各々が対応する支持フレーム４２に嵌合された状態で、被支持フレーム５６の各々の上中央壁５８は、対応する支持フレーム４２の下中央壁４４の前後方向の内側に実質上重合して位置付けられ、被支持フレーム５６の各々の上横壁６０及び６２は、対応する支持フレーム４２の下横壁４６及び４８の横方向の外側に対向して位置付けられる。
【００２５】
図２〜図５を参照して、テーブル１０には、上ユニット３２を下ユニット３０に対し高さ調整自在に固着することができる固着手段が備えられている。固着手段は、上縦フレーム５２及び５４における被支持フレーム５６を対応する下縦フレーム３６及び３８における支持フレーム４２に対し高さ調整自在に固着することができるよう、被支持フレーム５６の各々の上中央壁５８と、対応する支持フレーム４２の下中央壁４４との間に配設されている。被支持フレーム５６の各々と対応する支持フレーム４２との間に配設される固着手段の構成は、それぞれ実質上同一であるので、以下、図２〜図５を参照して上縦フレーム５２における被支持フレーム５６と下縦フレーム３６における支持フレーム４２との間の固着手段について説明する。
【００２６】
固着手段は、支持フレーム４２の下中央壁４４に横方向に間隔をおいて形成された２個の固着用ねじ孔６４、６４からなる固着用ねじ孔の組６４Ａと、被支持フレーム５６の上中央壁５８において横方向に間隔をおいて形成された２個の取付孔６６、６６からなる取付孔６６の組が、鉛直方向に間隔をおいて形成されてなる取付孔６６の複数の組６６Ａ１、６６Ａ２、・・・６６Ａｎと、複数個の固着用ビス６８（図２参照）とを含んでいる。固着用ねじ孔６４の組６４Ａは少なくとも２個の固着用ねじ孔６４、６４から構成されることが好ましい。取付孔６６の組６６Ａ１、・・・６６Ａｎの各々は、固着用ねじ孔６４の組６４Ａと同数であってしかもそれに整合するよう構成されている。
【００２７】
そして被支持フレーム５６の各々を支持フレーム４２に嵌合し、支持フレーム４２に対し上下動させることによって、上中央壁５８の各々の取付孔６６の組６６Ａ１、・・・６６Ａｎのうちの一組をテーブル１０の所望の高さに応じて選定し、対応する下中央壁４４の固着用ねじ孔６４の組６４Ａに整合させる。取付孔６６の組６６Ａ１、・・・６６Ａｎのうちの一組が固着用ねじ孔６４の組６４Ａに整合された状態で、固着用ビス６８の各々を固着用ねじ孔６４の組６４Ａの固着用ねじ孔６４の各々に、対応する取付孔６６を介して離脱自在に螺合することにより、上ユニット３２は下ユニット３０に対し所要の高さに固着される。その結果、上ユニット３２におけるテーブル部材５０におけるフィニッシャ１２の載置面５０ａは所要の高さに位置付けられる（図１、図４及び図５参照）。上記の如くして相互に固着される下ユニット３０の下縦フレーム３６と上ユニット３２の上縦フレーム５２とは、テーブル１０の後壁１００を規定し、また上記の如くして相互に固着される下ユニット３０の下縦フレーム３８と上ユニット３２の上縦フレーム５４とは、テーブル１０の前壁１０２を規定する（図４及び図５参照）。テーブル１０を、その載置面５０ａにフィニッシャ１２を載置した状態で車輪３９によりフロア上を移動させて、図１に示す如く複写機２の一側部に近接して所定の位置に連結すると、フィニッシャ１２の図示しない転写紙搬入口は、複写機本体４の図示しない転写紙排出口に対応した高さに位置付けられる。
【００２８】
図５を参照して、テーブル１０の上壁を規定するテーブル部材５０の載置面５０ａ上に載置されたフィニッシャ１２には、電源コード８０及び信号用コード８２が、フィニッシャ１２の底部１２ａの中央部から下方に延び出るよう配設されている。これら電源コード８０及び信号用コード８２は、テーブル１０のテーブル部材５０に形成された上壁開口５０ｂ、後壁開口７０、後壁開口７０と後フランジ５１ｂとの間の隙間７４を通ってテーブル１０の後壁１０２の後側に延び出るよう配設されている。以上の構成により、テーブル１０及びテーブル１０上に載置されたフィニッシャ１２からなる付属装置８が、図１に示すごとく複写機２の左側部に付設された場合、電源コード８０及び信号用コード８２はテーブル１０の前側に露呈することはない。またこの付属装置８が他の形態の図示しない複写機の右側部に付設される場合には、図５の２点鎖線で示すように、電源コード８０及び信号用コード８２を、上壁開口５０ｂ、前壁開口７２、前壁開口７２と前フランジ５１ａとの間の隙間７６を通ってテーブル１０の前壁１０４の前側に延び出るよう配設する。このようなレイアウト変更を施した付属装置８を図示しない複写機の右側部に付設した場合には、テーブル１０の前壁１０４が後側に位置付けられるので、電源コード８０及び信号用コード８２がテーブル１０の前側に露呈することはない。したがって、本発明に係る上記付属装置８は、複写機の左側部及び右側部のいずれの側部に付設されても、電源コード８０及び信号用コード８２が前側に露呈することがなく、外観を所望のとおりに確保することができる。
【００２９】
また付属装置８の電源コード８０及び信号用コード８２はその底部１２ａからテーブル部材５０の上壁開口５０ｂを通って下方に延び出るよう配設され、更にテーブル１０の後壁開口７０を通って後壁１０２の後側へ延び出るか又はテーブル１０の前壁開口７２を通って前壁１０４の前側へ延び出るよう配設されるので、付属装置８が複写機の左側部及び右側部のいずれの側部に付設されても、電源コード８０及び信号用コード８２の長さを最短に規定することができる。その結果、テーブル１０、したがって付属装置８の製造コストを低減することができる。信号用コード８２の長さを最短に規定することができることに起因して、信号に対するノイズ（例えば電磁波）の影響を最小限とすることができ、的確な制御が保証される。更には、フィニッシャ１２の電源コード８０及び信号用コード８２は、その底部１２ａからテーブル部材５０の上壁開口５０ｂを通って下方に延び出るよう配設されていることに起因して、電源コード８０及び信号用コード８２の存在にもかかわらず、フィニッシャ１２の底部１２ａを、テーブル部材５０の載置面５０ａ上に実質上隙間なく載置することができる。その結果、好ましい外観が確保される。
【００３０】
図１〜図５に示す実施形態において、本発明は高さ調整自在のテーブル１０に適用されているが、もちろん、高さが一定のテーブルであっても本発明は適用される。また上記実施形態において、後壁開口７０及び前壁開口７２は、それぞれ後壁１０２及び１０４の上端部に形成されているが、これは、上記した如く、上ユニット３２が下ユニット３０に対して上下動自在に固着されるよう構成されているため、該上端部に形成することが好ましいからである。しかしながら後壁開口７０及び前壁開口７２が上記実施形態の位置に限定される理由はなく、基本的にはどの部位に設けても成立する（特に高さが一定のテーブルの場合）。以下、本発明が、高さが一定のテーブル２００に適用された実施形態を図６を参照して説明する。なお図６において、図１〜図５と実質上同一の部分は同一符号で示し、説明は省略する。
【００３１】
テーブル２００は、ベースフレーム３４、後壁１０２を規定する後縦フレーム２０２、前壁１０４を規定する前縦フレーム２０４、テーブル部材５０、を備えている。ベースフレーム３４の上面の四隅には図示しない支柱が配設され、ベースフレーム３４の上面の後端及び前端には、後縦フレーム２０２及び前縦フレーム２０４が相互に対向するよう直立して配設されている。後縦フレーム２０２及び前縦フレーム２０４の上端及び支柱の各々の上端に上記テーブル部材５０が配設されている。後縦フレーム２０２及び前縦フレーム２０４は、それぞれ平板から一体成形され、対応する支柱に固着されている。後縦フレーム２０２及び前縦フレーム２０４の前後方向の中央には鉛直方向に延在するチャンネル部２０６及び２０８が形成されている。チャンネル部２０６及び２０８は、それぞれの底壁２０６ａ及び２０８ａが、前後方向の内側に突出して位置するよう形成されている。チャンネル部２０６及び２０８における底壁２０６ａ及び２０８ａの上下方向の略中間部に、それぞれ上記後壁開口７０、前壁開口７２が形成されている。チャンネル部２０６及び２０８のチャンネル内であって、後壁開口７０及び前壁開口７２に対応する位置には、後カバー手段及び前カバー手段を構成する後カバー部材２１０及び前カバー部材２１２が配設されている。後カバー部材２１０及び前カバー部材２１２はそれぞれＵ形状をなし、それぞれの底部が前後方向の外側に位置付けられている。後壁開口７０の後側は後カバー部材２１０により隙間７４をおいて覆われ、前壁開口７２の前側は前カバー部材２１２により隙間７６をおいて覆われる。上記説明から明らかなように、一定の高さを有するテーブル２００に適用された本発明に係る構成は、後壁開口７０及び前壁開口７２の位置がテーブル２００の上下方向の略中間に位置していることを除けば、上記テーブル１０に適用された本発明に係る構成と実質上同一である。したがって、図６に示すテーブル２００に適用された本発明は、図１〜図５によって説明した発明と実質上同一の作用効果を達成することができる。
【００３２】
【発明の効果】
本発明に係るフィニッシャの載置用テーブル及びそれを使用した付属装置によれば、画像形成装置の左側部及び右側部のいずれの側部に付設しても、電源コード及び信号用コードが前側に露呈することはなく、好適な外観が確保される。また、画像形成装置の左側部及び右側部のいずれの側部に付設しても、電源コード及び信号用コードの長さを最短に規定することができ、したがって製造コストを低減することができる。更にはまた、信号のノイズを最小限とすることができる。更にはまた、電源コード及び信号用コードの存在にもかかわらず、フィニッシャが、その底部が実質上隙間なく載置されることを可能とする。
【図面の簡単な説明】
【図１】本発明に従って構成されたフィニッシャの載置用テーブルの実施形態の使用状態を示す側面図。
【図２】図１に示すテーブルの分解斜視図。
【図３】図１に示すテーブルを下ユニット及び上ユニットに分解して示す斜視図。
【図４】図１に示すテーブルにおいて、フィニッシャを省略して示す斜視図。
【図５】図１のＡ−Ａ矢視断面図。
【図６】本発明に従って構成されたフィニッシャの載置用テーブルの他の実施形態を示す斜視図。
【符号の説明】
２  複写機
８  付属装置
１０  テーブル
１２  フィニッシャ
１２ａ  フィニッシャの底部
３０  下ユニット
３２  上ユニット
５０  テーブル部材
５０ａ  フィニッシャの載置面
５０ｂ  上壁開口
５１ａ  前フランジ
５１ｂ  後フランジ
５３  平板部
７０  後壁開口
７２  前壁開口
７４、７６  隙間
８０  電源コード
８２  信号用コード
１００  上壁
１０２  後壁
１０４  前壁
２００  テーブル
２１０  後カバー部材
２１２  前カバー部材
【図１】
0003567968.tif 000002
【図２】
0003567968.tif 000003
【図３】
0003567968.tif 000004
【図４】
0003567968.tif 000005
【図５】
0003567968.tif 000006
【図６】
0003567968.tif 000007